(57)【要約】【課題】陶磁器表面に形成された釉薬の優れた衛生性を全く損なうことなく、強度を増して衛生陶器の破損を防止すると共に、万一破損した場合でも破損部分に鋭利な破面を生じにくく、けがをする危険性が少ない衛生陶器の提供。【解決手段】鋳込み成形によって成形後、焼成して得られた衛生陶器において、前記衛生陶器の一重鋳込み成形により形成された内部空間の全部又は一部に接着機能を有する充填材が充填され、前記充填材と前記内部空間の表面とが密着している。【選択図】　図２
2004068293.tif 000002
【特許請求の範囲】
【請求項１】
鋳込み成形によって成形後、焼成して得られた衛生陶器において、前記衛生陶器の一重鋳込み成形により形成された内部空間の全部又は一部に接着機能を有する充填材が充填され、前記充填材と前記内部空間の表面とが密着していることを特徴とする衛生陶器。
【請求項２】
鋳込み成形によって成形後、焼成して得られた衛生陶器において、前記衛生陶器の一重鋳込み成形により形成された内部空間の表面の全部又は一部に密着して接着機能を有する表面被覆層を形成したことを特徴とする衛生陶器。
【請求項３】
前記衛生陶器の一重鋳込み成形部分には、前記充填材または表面被覆層を形成するための材料を供給するための貫通穴が一箇所以上設けられていることを特徴とする請求項１または２に記載の衛生陶器。
【請求項４】
前記充填材が発泡ウレタンであることを特徴とする請求項１に記載の衛生陶器。
【請求項５】
前記表面被覆層が熱可塑性エラストマーからなることを特徴とする請求項２に記載の衛生陶器。
【請求項６】
前記表面被覆層がゴム系材料からなることを特徴とする請求項２に記載の衛生陶器。
【請求項７】
前記衛生陶器が、洗面器、小便器、大便器のいずれかであることを特徴とする請求項１乃至６のいずれかに記載の衛生陶器。
【発明の詳細な説明】
【０００１】
【発明の属する技術分野】
本発明は、洗面器、小便器、大便器等の衛生陶器に関する。
【０００２】
【従来の技術】
洗面器、小便器、大便器等の衛生設備機器は、その材質が陶磁器製であるものが一般的である。陶磁器は硬いものを接触させられたり強い衝撃を受けた場合、破損することがある。また、破損部分に生じる鋭利な破面によってけがをする危険性があった。
【０００３】
陶磁器製の衛生設備機器の破損を防止するために、特開２００１−１５２５３１号公報において表面の全面もしくは一部が一体的に緩衝材で被覆された衛生設備機器が提案されている。しかし、この公報の技術では陶磁器表面に形成された釉薬の優れた衛生性が全く役に立たず、汚れやすく非衛生的な表面となっていた。
【０００４】
【発明が解決しようとする課題】
そこで、本発明では、陶磁器表面に形成された釉薬の優れた衛生性を全く損なうことなく、強度を増して衛生陶器の破損を防止すると共に、万一破損した場合でも破損部分に鋭利な破面を生じにくく、けがをする危険性が少ない衛生陶器を提供することを目的とする。
【０００５】
【課題を解決するための手段】
本発明は、鋳込み成形によって成形後、焼成して得られた衛生陶器において、前記衛生陶器の一重鋳込み成形により形成された内部空間の全部又は一部に接着機能を有する充填材が充填され、前記充填材と前記内部空間の表面とが密着していることを特徴とする。
ほとんどの衛生陶器は、一重鋳込み成形および二重鋳込み成形の組み合わせにより形成されている。一重鋳込み成形部分は二重鋳込み成形部分と比較してその厚みが薄いため、強度面ではやや弱く、硬いものを接触させられたり蹴られるなどして強い衝撃が加えられた場合には、一重鋳込み成形部分が破損しやすい傾向にある。一重鋳込み成形は成形工程中に排泥操作を行うため、その内部に空間を有している。例えば、壁掛け式の洗面器では、オーバーフロー用の水路を除くと、ボウル部の左右両脇および前面に一重鋳込み成形部分が存在し、内部空間を有している。また、壁掛け式のストール小便器では、洗浄水用の水路を除くと、ボウル部外面の立位側に一重鋳込み成形部分が存在するものが多い。
【０００６】
上記のように、衛生陶器の一重鋳込み成形により形成された内部空間の全部又は一部に接着機能を有する充填材が充填され、前記充填材と前記内部空間の表面とが密着していることにより、充填材で満たされた周囲の陶器部分を補強すると共に、硬いものを接触させられたり強い衝撃を受けた場合でも破損しにくくすることができる。また、破損した場合でも破損部が充填材によって密着保持されているので破片として陶器本体から脱落することがなく、その結果鋭利な破面が表面に露出しにくく、けがをする危険が極めて少なくすることができる。
【０００７】
前記一重鋳込み成形により形成された内部空間が一個の衛生陶器本体内に複数ある場合には、充填材を充填するのはその全部でも一部でもよく、適宜選択することが可能である。また、充填材は衛生陶器の内部空間に充填されるので、外観は通常の衛生陶器そのままであるから、衛生陶器の釉薬が持つ優れた衛生性は全く損なわれることがないので好適である。
【０００８】
また、本発明は、鋳込み成形によって成形後、焼成して得られた衛生陶器において、前記衛生陶器の一重鋳込み成形により形成された内部空間の表面の全部又は一部に密着して接着機能を有する表面被覆層を形成したことを特徴とする。
衛生陶器の一重鋳込み成形により形成された内部空間の表面の全部又は一部に密着して接着機能を有する表面被覆層を形成したことにより、表面被覆層が形成された周囲の陶器部分を補強すると共に、硬いものを接触させられたり強い衝撃を受けた場合でも破損しにくくすることができ、また、破損した場合でも破損部が表面被覆層によって密着保持されているので破片として陶器本体から脱落することがなく、その結果鋭利な破面が表面に露出しにくくなり、けがをする危険が極めて少なくすることができる。前記一重鋳込み成形により形成された内部空間が一個の衛生陶器本体内に複数ある場合には、表面被覆層を形成するのはその全部でも一部でもよく、適宜選択することが可能である。また、表面被覆層は衛生陶器の内部空間にあるので、外観は通常の衛生陶器そのままであるから、衛生陶器の釉薬が持つ優れた衛生性は全く損なわれることがないので好適である。
【０００９】
本発明の好ましい態様においては、前記衛生陶器の一重鋳込み成形部分には、前記充填材または表面被覆層を形成するための材料を供給するための貫通穴が、一箇所以上設けられているようにする。
衛生陶器は、通常１１００〜１２００℃で焼成して得られるため、焼成後に充填材を充填したり、表面被覆層を形成したりする必要がある。焼成後の衛生陶器素地は非常に堅く、容易に穴をあけたりといった加工をすることができない。そこで、充填材または表面被覆層形成用の材料を供給するための貫通穴が、焼成前に形成されていることが望ましい。また、現場に設置されて使用している衛生陶器であっても前記貫通穴が設けられていれば、必要に応じて後から充填材を充填したり、表面被覆層を形成する際に好適である。
【００１０】
また、本発明の好ましい態様においては、前記充填材が発泡ウレタンであるようにする。
発泡ウレタンは、原料が反応し硬化するまでの間に１．５〜２倍に膨れ上がる性質を有しており、一重鋳込み成形部分の内部のように、直接見ることが出来ない異形の空間に充填するような場合でも比較的簡単に充填操作が出来るので好適である。また、ウレタン樹脂は、衛生陶器素地に対して高度な接着力を有しているので、、衛生陶器が破損した場合でも、破片が脱落することなく保持されるので、鋭利な破面が露出しにくく、けがをする可能性が低くなるので好ましい。
【００１１】
また、本発明の好ましい態様においては、前記表面被覆層が熱可塑性エラストマーからなるようにする。
熱可塑性エラストマーとしては、エステル系、ウレタン系、スチレン系、オレフィン系等が好適に用いられる。上記のように、衛生陶器の一重鋳込み成形部分に一箇所以上設けられた貫通穴から、前記熱可塑性エラストマー材料を流し込んで前記内部空間を満たし、余分な熱可塑性エラストマー材料を排出して硬化させることにより、一重鋳込み成形部分の内部空間の内側表面に密着した熱可塑性エラストマーからなる表面被覆層が容易に形成される。
【００１２】
また、本発明の好ましい態様においては、前記表面被覆層がゴム系材料からなるようにする。
ゴム系材料としては、ふっ素ゴム、シリコーンゴム、ウレタンゴム等が好適に用いられる。上記のように、衛生陶器の一重鋳込み成形部分に一箇所以上設けられた貫通穴から前記ゴム系の材料を流し込んで上記内部空間を満たし、余分なゴム系の材料を排出して硬化させることにより、一重鋳込み成形部分の内側空間の内側表面に密着したゴム系の表面被覆層が容易に形成される。
【００１３】
また、本発明の好ましい態様においては、前記衛生陶器は洗面器、小便器、大便器のいずれかであるようにする。
【００１４】
【発明の実施の形態】
以下に、本発明の実施の形態を図面により説明する。図１は本発明の第一実施態様に係る壁掛け式洗面器を上方から見た図であり、図２は図１の前面側およびＡ−Ａ’断面を示す図であり、図３は図１のＢ−Ｂ’断面を示す図である。
壁掛け式洗面器１１は略中央に一段凹んだボウル部１２、ボウル部１２の後方の裏面側にオーバーフロー用水路１７が形成され、ボウル部１２の左右両側部には一重鋳込み成形部１３が、ボウル部１２の前面側部にも一重鋳込み成形部１５が存在している。そして、一重鋳込み成形部１３、１５にそれぞれ発泡ウレタン１４、１６が充填されている。
【００１５】
発泡ウレタン１４、１６は、一重鋳込み成形部１３および１５と連通する予め設けられた貫通穴（図示せず）から一重鋳込み成形部１３および１５内に流動状の発泡ウレタン樹脂を流し込み、硬化して一重鋳込み成形部１３および１５と密着した充填材を構成している。この構成によれば、一重鋳込み成形部の内部空間に充填された発泡ウレタンによってボウル部周囲の強度が増加し、従来では破損してしまうような外力が加えられた場合でも破損を抑えると共に、破損したとしても発泡ウレタンによって破片が脱落することなく保持されるので、鋭利な破面の露出が生じにくく、けがを防止することができる。
【００１６】
ここで、発泡ウレタンとしては、市販の缶入り等の原料を入手して用いることができる。市販のものには、一液型と二液型の発泡ウレタンが存在し、通常、一液型はイソシアネートとポリオールが混合されて缶に入っており、使用時に空気中の水分と反応して硬化するタイプのものである。二液型はイソシアネートとポリオールが別々の缶に入っており、使用時にその二つの液を混合して硬化させるタイプのものである。一液型の発泡ウレタンは硬化までに時間が必要であり、空気中の水分や湿気と反応するため気泡にムラができやすく、膨張率がやや小さいという特性がある。それに対して、二液型の発泡ウレタンは硬化時間が早く、二液を強制的に反応させるために小さな気泡が均一にでき、膨張率も大きいという利点を有する。従って、一重鋳込み成形部の内部空間に充填する場合には、小さな隙間まで充填できて硬化時間が短い二液型の発泡ウレタンの方が適している。
【００１７】
また、図４は本発明の第二実施態様に係る壁掛け式洗面器の縦断面図を示すものであり、図５はその横断面図を示すものである。
壁掛け式洗面器１１は、一重鋳込み成形部１３および１５に連通する予め設けられた貫通穴（図示せず）から内部空間全体が満たされるまで熱可塑性エラストマー材料を流し込み、その後余分な熱可塑性エラストマー材料を排出し、硬化させることにより、一重鋳込み成形部１３、１５の内部表面に密着した熱可塑性エラストマーからなる表面被覆層１８、１９を形成している。一重鋳込み成形部の内部表面に形成された表面被覆層１８、１９によってボウル部周囲の強度が増加し、従来では破損してしまうような外力が加えられた場合でも破損を抑えると共に、破損したとしても表面被覆層１８、１９によって破片が脱落することなく保持されるので、鋭利な破面の露出が生じにくく、けがを防止することができる。
【００１８】
以上、洗面器の実施例についてのみ説明したが、小便器、大便器、手洗い器、洗髪器、流し、ビデ等の一重鋳込み成形による内部空間を有する衛生陶器であれば、いずれの製品にも対応できることは勿論である。
【００１９】
【実施例】
（実施例１）
東陶機器（株）製の壁掛け式洗面器「Ｌ２２１Ｒ」を準備した。洗面器「Ｌ２２１Ｒ」には、ボウル部の左右両脇と前面部に一重鋳込み成形によって形成された一連の内部空間が存在する。この洗面器の一重鋳込み成形部で壁面側の左右にある素地表面には、あらかじめφ１０ｍｍの貫通穴をあけておいた。この穴に外径φ９ｍｍの注入ホースを挿入し、二液型発泡ウレタン（ヘンケルジャパン（株）製「シスタＫ２０００」）を充填し、約２４時間放置して硬化させることにより本実施例の洗面器を得た。
【００２０】
上記の如くして得られた洗面器を、通常使用される時と同じように、製品耐荷重を測定するための装置に設けられた壁掛けフックにより固定した。製品耐荷重を測定するための装置は、洗面器の前面中央に荷重を加えていき、洗面器が破壊したときの荷重を測定できるように構成されている。前記装置により、本実施例の洗面器の耐荷重を測定したところ、２．６５ｋＮの荷重を加えても洗面器は破壊せず、２．６５ｋＮ以上の耐荷重を有することが分かった。
また、金属製のハンマーでボウル部の左右両脇部分を叩き割ったところ、洗面器にはクラックが入ったが、破片が脱落して鋭利な破面が露出することはなかった。
【００２１】
（比較例１）
東陶機器（株）製の壁掛け式洗面器「Ｌ２２１Ｒ」を準備した。
実施例一と同様に、製品耐荷重を測定するための装置に設けられた壁掛けフックに固定し、耐荷重を測定したところ、１．９６ｋＮの荷重を加えたときに洗面器が破壊した。この時、破片が周囲に散乱し、壁掛けフック側に残った洗面器の破片には、鋭利な破面が露出しており、危険な状態であった。
【００２２】
【発明の効果】
本発明によれば、陶磁器表面に形成された釉薬の優れた衛生性を全く損なうことなく、強度を増して衛生陶器の破損を防止すると共に、万一破損した場合でも破損部分に鋭利な破面を生じにくく、けがをする危険が少ない衛生陶器を提供することが可能となる。
【図面の簡単な説明】
【図１】本発明の一実施態様の洗面器を上方から見た図。
【図２】図１の前面側およびＡ−Ａ’断面を示す図。
【図３】図１のＢ−Ｂ’断面を示す図。
【図４】本発明の他の実施態様の洗面器の縦断面図。
【図５】図４の横断面図。
【符号の説明】
１１…壁掛け式洗面器
１２…ボウル部
１３、１５…一重鋳込み成形部
１４、１６…発泡ウレタン
１７…オーバーフロー用水路
１８、１９…表面被覆層
【図１】
2004068293.tif 000003
【図２】
2004068293.tif 000004
【図３】
2004068293.tif 000005
【図４】
2004068293.tif 000006
【図５】
2004068293.tif 000007